(57)【要約】【課題】遊技釘をクランク状に変形させることができる釘曲げ用ペンチを提供する。【解決手段】釘曲げ用ペンチ１０は、把持部１８の開閉操作に連動して狭着部２０が開閉する。狭着部２０は、第１狭着部３４、第２狭着部３６からなる。第１狭着部３４には、遊技釘の根本部分を押さえる第１押さえ部４４、遊技釘の頭側を押さえる第２押さえ部４６が形成されている。第２押さえ部４６は、第１押さえ部４４よりも、遊技釘を挟み込む際に第１狭着部３４が移動される方向に一段低い位置に形成されている。第２狭着部３６には、遊技釘の頭側を押さえる押圧部４８が形成されている。押圧部４８は、狭着部２０を閉じた際に、前端部が第１押さえ部４４の後端部よりも後方に位置するように形成されている。第１押さえ部４４を遊技釘の根本部分に当て、狭着部２０を閉じると、遊技釘をクランク状に変形できる。【選択図】図３
2010088655.tif 000002
【特許請求の範囲】
【請求項１】
支点の後端側に一対の把持部が設けられ、支点の先端側に一対の挟着部が設けられたペンチ状に形成され、遊技盤に打ち込まれた遊技釘と長手方向を平行にした状態で前記一対の挟着部の相互間に遊技釘を挟み込んで変形させる釘曲げ用ペンチであって、
前記一対の挟着部の一方には、先端側から順に、遊技釘の根本部分を押さえる第１押さえ部、前記第１押さえ部よりも遊技釘を挟み込む方向とは平行な高さが低く形成された第２押さえ部が設けられ、
前記一対の挟着部の他方には、遊技釘を挟み込んだ際に、前記第１押さえ部と前記第２押さえ部の形状に沿うように略クランク形状に遊技釘を変形させる押圧部が設けられていることを特徴とする釘曲げ用ペンチ。
【発明の詳細な説明】
【技術分野】
【０００１】
本発明は、パチンコ機の遊技盤に打ち込まれた遊技釘を変形させる釘曲げ用ペンチに関するものである。
【背景技術】
【０００２】
パチンコ機は、遊技球が流下される遊技盤を備えており、遊技盤には、流下する遊技球の動きに変化を与えるために複数の遊技釘が打ち込まれている。周知のように、パチンコ機では、遊技釘の状態（遊技釘の角度や間隔）により、有利不利が変化するため、パチンコ店では、定期的に遊技釘の角度や間隔を調整している。
【０００３】
遊技釘の角度や間隔の調整では、例えば、ペンチなどの機器を用いて遊技釘を変形させる方法が広く知られている。また、下記特許文献１に記載されているように、操作椀と、操作椀の操作によって開閉する一対の突子とを有し、２本の遊技釘間に突子を挿入し、操作椀を操作して突子同士の間隔を広げて遊技釘を変形させる機器もある。
【特許文献１】実登３００９９７８
【発明の開示】
【発明が解決しようとする課題】
【０００４】
しかしながら、従来の機器で遊技釘を変形させ、例えば、遊技釘間の間隔を狭めたり（広げたり）した場合、実際の遊技釘間の距離（根本から頭部へかけての各位置における遊技釘間の距離の平均値）と、遊技者が認識する遊技釘間の距離との間に隔たりが生じてしまうといった問題があった。
【０００５】
すなわち、従来の機器で遊技釘を変形させると、遊技釘が根本部分から折れ曲がるようにして変形されるので、例えば、遊技釘間の間隔を狭めた（広げた）場合、遊技釘の根本から頭部へかけて徐々に遊技釘間の間隔が狭まる（広がる）。このため、実際の遊技釘間の距離は、遊技釘の根本同士の距離と、遊技釘の頭部同士の距離のほぼ中間の値となる。
【０００６】
しかし、遊技者は、遊技釘の頭部同士の間隔が狭いと遊技釘間の間隔が狭い、反対に、遊技釘の頭部同士の間隔が広いと遊技釘間の間隔が広いといったように、遊技釘の頭部の間隔を観察して遊技釘の間隔を判断する傾向にある。このため、例えば、従来の機器で遊技釘間を狭めた場合、遊技者は、実際よりも遊技釘間の距離が狭められたように認識してしまう。また、反対に、従来の機器で遊技釘間を広げた場合、遊技者は、実際よりも遊技釘間の距離が広げられたように認識してしまう。
【０００７】
本発明は、上記背景を鑑みてなされたものであり、遊技者が遊技釘間の距離を正確に認識できるように遊技釘を変形させることができる釘曲げ用ペンチを提供することを目的としている。
【課題を解決するための手段】
【０００８】
上記目的を達成するために、本発明の釘曲げ用ペンチは、支点の後端側に一対の把持部が設けられ、支点の先端側に一対の挟着部が設けられたペンチ状に形成され、遊技盤に打ち込まれた遊技釘と長手方向を平行にした状態で前記一対の挟着部の相互間に遊技釘を挟み込んで変形させる釘曲げ用ペンチであって、前記一対の挟着部の一方には、先端側から順に、遊技釘の根本部分を押さえる第１押さえ部、前記第１押さえ部よりも遊技釘を挟み込む方向とは平行な高さが低く形成された第２押さえ部が設けられ、前記一対の挟着部の他方には、遊技釘を挟み込んだ際に、前記第１押さえ部と前記第２押さえ部の形状に沿うように略クランク形状に遊技釘を変形させる押圧部が設けられていることを特徴としている。
【発明の効果】
【０００９】
本発明によれば、遊技釘をクランク形状に変形させるため、遊技者が遊技釘間の距離を正確に認識できる。また、本発明によれば、一対の挟着部により遊技釘を挟み込むことで遊技釘を手軽にクランク形状に変形できる。
【発明を実施するための最良の形態】
【００１０】
図１に示すように、本発明の釘曲げ用ペンチ１０は、連結部１２により回動自在に連結された第１アーム１４と第２アーム１６とから構成される。また、釘曲げ用ペンチ１０は、連結部１２を挟んで後端側が把持部１８となっており、先端側が狭着部２０となっている。把持部１８は、第１アーム１４の後端部に形成された第１把持部２４と、第２アーム１６の後端部に形成された第２把持部２６とから構成される。狭着部２０は、第１アーム１４の先端部に形成された第１狭着部３４と、第２アーム１６の先端部に形成された第２狭着部３６とから構成される。
【００１１】
釘曲げ用ペンチ１０は、連結部１２が支点となり、第１把持部２４と第２把持部２６とを遠ざけるように把持部１８を開くと、これに連動して第１狭着部３４と第２狭着部３６とが遠ざかるように狭着部２０が開く。また、釘曲げ用ペンチ１０は、第１把持部２４と第２把持部２６とを近づけるように把持部１８を閉じると、これに連動して第１狭着部３４と第２狭着部３６とが近づくように狭着部２０が閉じる。
【００１２】
この釘曲げ用ペンチ１０は、遊技盤（図３の符号５０参照）に打ち込まれた遊技釘（図３の符号５２参照）変形させるためのものであり、長手方向（前後方向）を遊技釘と略平行（前後方向が遊技盤面と略垂直）となるように、把持部１８を把手して用いられる。この状態で把持部１８を閉じると、遊技釘が狭着部２０に挟み込まれて変形される。
【００１３】
図２に示すように、第１狭着部３４には、第１押さえ部４４と第２押さえ部４６とが形成されている。第１押さえ部４４の先端には、遊技盤と当接した際に遊技盤を保護するための保護部材４４ｂが設けられている。保護部材４４ｂは、例えば、ゴムなどの柔軟な材料から形成されている。第１押さえ部４４の先端部には、前述の第１押さえ部４４の内方側の面と直行するフラットな面が形成され、保護部材４４ｂは、この面に取り付けられている。
【００１４】
また、第１押さえ部４４の内方側（第２狭着部３６側）の面には、遊技釘の根本部分を押さえるための第１押さえ溝４４ａが形成されている。第１押さえ溝４４ａは、断面が略半円形状であり、遊技釘の根本部分の軸の外周面に当接する機能を有する。なお、本実施例の遊技釘の全長は３３．５ｍｍであり、厚さが１９．５ｍｍとなる遊技盤に１５．５ｍｍの深さとなるように打ち込んで、１８．０ｍｍの高さで立設させるようにしている。第１押さえ部４４は、釘曲げ用ペンチ１０の前後方向の長さが（ｔ１）に形成されており、遊技盤に打ち込まれた遊技釘と遊技盤面の境界（根本）部分を保持すべく、その境界から釘頭に向かう方向の所定範囲（境界から釘頭へ向かう長さ（ｔ１）の範囲）を部分的に押さえるものとなる。
【００１５】
第２押さえ部４６には、内方側（第２狭着部３６側）の面に遊技釘の頭側（根本部分よりも釘頭側の部分）を押さえるための第２押さえ溝４６ａが、第１押さえ部４４と所定間隔（ｔ４）を空けて形成されている。第２押さえ溝４６ａは、第１押さえ溝４４ａと同様に、断面が略半円形状であり、釘曲げ用ペンチ１０の前後方向で、後述する第３押さえ溝４８ａと対向する（好ましくは、少なくとも第３押さえ溝４８ａの先端部を含む範囲と対向する）ように形成されている。
【００１６】
また、第２押さえ部４６は、高さ（狭着部２０の開閉方向の長さ）（ｔ２）が、第１押さえ部４４の高さ（ｔ３）よりも低く、すなわち、第１押さえ部４４よりも、狭着部２０が遊技釘を挟み込む際に第１狭着部３４が移動される方向に一段低い位置（ｔ３＜ｔ２の関係）に形成されている。
【００１７】
第２狭着部３６には、押圧部４８が形成されている。押圧部４８の内方側（第１狭着部３４側）の面には、遊技釘の頭側を押さえるための第３押さえ溝４８ａが形成されている。第３押さえ溝４８ａは、第１、第２押さえ溝４４ａ、４６ａと同様に、断面が略半円形状であり、釘曲げ用ペンチ１０の前後方向に長く形成されている。なお、本実施例では、第２押さえ部の前後方向の長さ（ｔ５）よりも押圧部４８の前後方向の長さ（ｔ６）を長く形成している。
【００１８】
また、第２狭着部３６（押圧部４８）は、狭着部２０を閉じた際に、前端部が第１押さえ部４４の後端面よりも長さ（ｔ７）だけ、後方に位置するように形成されている。これにより、狭着部２０を閉じると、第１押さえ部４４の内方側の面よりも長さ（ｔ２−ｔ３）だけ、第２狭着部３６（押圧部４８）が第１狭着部３４側に入り込む。そして、このとき、第１狭着部３４と第２狭着部３６とによって遊技釘が両側から挟み込まれてクランク形状、すなわち、遊技釘のうち第３押さえ溝４８ａにより押さえられた部分が遊技釘の根本部分に対して左右方向に平行にずれるように変形する。
【００１９】
以下、上記構成の釘曲げ用ペンチ１０の作用について、図３をもとに説明する。釘曲げ用ペンチ１０を用いて遊技盤５０に打ち込まれた遊技釘５２を変形させる場合、初めに、図３（Ａ）に示すように、把持部１８を操作して狭着部２０を開いた後、第１押さえ溝４４ａに遊技釘の根本部分が配置され、かつ、保護部材４４ｂが遊技盤５０の盤面に当接するように釘曲げ用ペンチ１０をセットする。このとき、第１押さえ溝４４ａにより遊技釘が押さえられ、遊技釘のＡ方向への移動が規制される。また、保護部材４４ｂにより、遊技盤５０が傷付いてしまうことが防止される。
【００２０】
次に、把持部１８を操作して狭着部２０を閉じる。このとき、第１押さえ部４４により根本部分が押さえられた遊技釘５２は、初め、図３（Ｂ）に示すように、押圧部４８により押圧されて第１押さえ部４４の後端部を中心にＡ方向に略く字型に折れ曲がる。この後、遊技釘５２は、頭側が第２押さえ部４６と当接して押さえられ、Ａ方向への移動が規制される。そして、遊技釘５２は、同図（Ｃ）に示すように、押圧部４８により、第１押さえ部４４と第２押さえ部との間がＡ方向に押圧され、遊技釘５２の根本部分と頭部分とが平行となる形状、すなわち、略クランク形状に変形される。
【００２１】
このように、釘曲げ用ペンチ１０によれば、遊技釘がクランク形状に変形されるので、遊技者が遊技釘間の距離を正確に認識できる。また、狭着部に遊技釘を挟んで把持部を閉じるといった簡単な操作で遊技釘をクランク形状に変形できるので便利である。さらに、釘曲げ用ペンチ１０では、第１狭着部の先端に保護部材を設けたので遊技釘を変形させる際に遊技盤が傷付いてしまうことがない。また、釘曲げ用ペンチ１０では、第１、第２、第３の各押さえ部に押さえ溝を設けたので、各押さえ部から遊技釘が脱落することなく、確実に遊技釘を変形できる。
【００２２】
なお、本発明は、狭着部で遊技釘を挟んで遊技釘をクランク形状に変形できればよいので、細部の構成は上記実施形態に限定されず適宜変更できる。例えば、図４（Ａ）に示す釘曲げ用ペンチ６０のように、押圧部６８の前後方向の長さを、上記実施形態の押圧部４８の長さよりも短くし、同図（Ｂ）に示すように、この押圧部６８により、第１押さえ部４４と第２押さえ部４６との間を押圧することによって遊技釘を変形させてもよい。なお、図４以降の図面を用いた説明では、上述した実施形態と同様の部材については、同様の符号を付して説明を省略している。
【００２３】
また、図５（Ａ）に示す釘曲げ用ペンチ７０のように、第１押さえ部７４と第２押さえ部７６を一体に形成してもよい。この釘曲げ用ペンチ７０では、押圧部７８を、第１押さえ部７４と第２押さえ部７６とに対応するクランク形状に形成している。そして、同図（Ｂ）に示すように、遊技釘５２の根本部分から頭側のほぼ全体を挟み込むようにして遊技釘を変形させる。また、この釘曲げ用ペンチ７０では、押圧部７８の先端に保護部材７８ａを設けて遊技盤５０を保護するようにしている。
【００２４】
さらに、図６に示す釘曲げ用ペンチ８０のように、第１押さえ部８４の長さを調整できるようにしてもよい。この釘曲げ用ペンチ８０では、第１押さえ部８４を、先端部８６と後端部８８とに分割し、これら先端部８６と後端部８８とを２本の調節ネジ９０により連結している。調節ネジ９０は、頭部近傍にフランジ９２が一体に形成され、先端部８６に回動自在に保持されている。後端部８８には、各調節ネジ９０に対応する２つのネジ穴９４が設けられており、各調節ネジ９０を回転させて、調節ネジ９０とネジ穴９４との螺合量を変化させることで先端部８６と後端部８８との距離、すなわち、第１押さえ部８４の長さを調節できる。また、この釘曲げ用ペンチ８０では、各調節ネジ９０の螺合量を互いに異ならせることによって、遊技釘５２の全体の角度も調節できる。
【００２５】
なお、第１押さえ部の長さを調節する機構としては、上述したように調節ネジの螺合量を変化させる機構に限定されるものではなく、周知の各種機構を用いることができる。例えば、保護部材を着脱自在に設けるとともに、厚みの異なる複数の保護部材を用意し、いずれの保護部材を第１押さえ部に取り付けるかによって、第１押さえ部の長さを調節してもよい。
【図面の簡単な説明】
【００２６】
【図１】釘曲げ用ペンチの外観を示す斜視図である。
【図２】狭着部の拡大図である。
【図３】遊技釘がクランク状に変形される様子を示す説明図である。
【図４】狭着部の平面図である。
【図５】狭着部の平面図である。
【図６】第１押さえ部の断面図である。
【符号の説明】
【００２７】
１０、６０、７０、８０  釘曲げ用ペンチ
１２  連結部
１８  把持部
２０  狭着部
２４  第１把持部
２６  第２把持部
３４  第１狭着部
３６  第２狭着部
４４、７４、８４  第１押さえ部
４６、７６、  第２押さえ部
４８、７８、６８  押圧部
５０  遊技盤
５２  遊技釘
【図１】
2010088655.tif 000003
【図２】
2010088655.tif 000004
【図３】
2010088655.tif 000005
【図４】
2010088655.tif 000006
【図５】
2010088655.tif 000007
【図６】
2010088655.tif 000008